(57)【要約】【課題】新築又は改造などによる駐車場設置工事に於いて、車両の搬出入が容易にできるようにした設備と、車両から発生する排気ガスにも対応できるようにした公害対策対応型の二段式駐車場ユニットであって、景観性に優れた近代的センスのある二段式駐車場ユニットを安価に提供するものである。【解決手段】上段床と下段床を前後に階段の如くずらして一体型に設けられた二段式駐車場ユニットであって、該下段床部分が地中に任意の深さで埋設して車両の出入口となる箇所に、上段床と下段床が機械的に交合に連動して上下に任意の角度で昇降すると共に、上段床に付設された延設板に案内ガイドを設け、該案内ガイドに沿ってスライド手段がスライドしながら上段床となる直線状又は曲線状又は折り畳み式の延設板の端部が地表面に接した後、上段床の車両が出入りできるように下段床と連動調整したことを特徴とする二段式駐車場ユニット。【選択図】図１
2005307723.tif 000002
【特許請求の範囲】
【請求項１】
上段床と下段床を前後に階段の如くずらして一体型に設けられた二段式駐車場ユニットであって、該下段床部分が地中に任意の深さで埋設して車両の出入口となる箇所に、上段床と下段床が機械的に交合に連動して上下に任意の角度で昇降すると共に、上段床に付設された延設板に案内ガイドを設け、該案内ガイドに沿ってスライド手段がスライドしながら上段床となる直線状の延設板の端部が地表面に接した後、上段床の車両が出入りできるように下段床と連動調整したことを特徴とする二段式駐車場ユニット。
【請求項２】
上段床となる延設板が曲線状からなることを特徴とする請求項１記載の二段式駐車場ユニット。
【請求項３】
上段床となる延設板が連動した折り畳み式からなることを特徴とする請求項１記載の二段式駐車場ユニット。
【発明の詳細な説明】
【技術分野】
【０００１】  本発明は、上段床と下段床を階段の如くずらして一体型に設けられた新しいタイプの二段式駐車場ユニットに関するものである。
【背景技術】
【０００２】  従来より本案のような二段式駐車場ユニットは無く、駐車場ユニットは４種類に大きく分けられる。その一ツ目は図１２に示すように建物の中の坂を車両が矢印のように上がると２階の駐車場に入庫できるようになっている。ところが、１階には駐車場が無く、坂の距離が長いだけ余分な空間となり無駄が多かった。【０００３】  二ツ目は図１３に示すように建物のなかに地下室を作り、地下室を車両が下ると入庫できるようになっているが、地上からも矢印のように水平に進むと車両が入庫できるようになっている。この場合も地下室に車両が下る坂の距離が長いため余分な空間となり無駄が多かった。【０００４】  三ツ目は図１４に示すように建物の中に車両を入口から入庫し、４箇所の床台に載せ車両を矢印のようにどちらか一方に回転移動させるもので、バランス良く車両を積載しないと該リフトの昇降に負担が掛かるだけでなく、入庫する入口が大きく余分な空間と無駄が多かった。【０００５】  四ツ目は図１５に示すように建物の中に車両を入口から入庫し、一つの昇降台に車両を載せて２階（点線部）まで昇降した後に、次の車両を地上から水平に入庫できるようにしたもので、順番に入れないと次の車両が入れないだけでなく、入庫する入口も大きくなり、昇降するリフトの負担も大きく故障も多かった。
【発明の開示】
【０００６】
【発明が解決しょうとする課題】
【０００７】  解決しょうとする問題点は、種々の駐車場はあっても入庫する入口が大きく、余分な空間と無駄が多いため、これらを解消することにある。
【課題を解決しょうとする手段】
【０００８】  上段床と下段床を階段の如くずらして一体型にして駐車場ユニットの高さをできるだけ低くして、車両の出入口を最大限に縮小する点と、ユニット形式にして従来の建物に下段床の部分を掘削して簡単に取り付けられることを特徴とした。
【発明の効果】
【０００９】  本案は、以上のような簡単な構造で安価に提供できるだけでなく、下記のような多大の効果を提供することができるものである。
【００１０】  上段床と下段床を前後に階段の如くずらして一体型に設けられた二段式駐車場ユニットであって、２階建て又は３階建ての家や鉄筋建ての建物に適用できると共に掘削部に下段床が任意の深さに埋設しているので、該二段式駐車場全体の高さが従来より低くなり、窓から見る景観性にも優れている。
【００１１】  下段床に車両が格納できるように昇降手段で傾斜角を有し、機械類の負担を和らげたので、該昇降手段の故障も少ない。
【００１２】  従来の建物に駐車場を設ける際、本案の二段式駐車場ユニットを取り付けることにより、車両の保護、騒音防止、少ない土地の有効利用ができる。
【発明を実施するための最良の形態】
【００１３】  車両から発生する排気ガスや雨水による浸水にも対応でき、２階建て又は３階建ての家や鉄筋建ての建物の窓から見た景観性にも優れた新しいタイプの二段式駐車場ユニットを提供することを目的として、低コストで簡単に駐車場を設置できることを実現した。
【実施例１】
【００１４】  図１は本案の二段式駐車場ユニットの全体斜視図であり、上段床２と下段床３を前後に階段の如くずらして一体型に設けた二段式駐車場ユニット本体１を、２階建て又は３階建ての家や鉄筋建ての建物に下段床３になる部分の地面を掘削し、該掘削部６に下段床３を所望深さで埋設したもので、該車両を入庫する手順を図面と併せて説明する。【００１５】  図２に示すように本案の二段式駐車場ユニット本体１の車両用出入口１０近くまで車両４を近づける。【００１６】  図３に示すように、下段床３に車両４が格納できるように該下段床３を昇降手段７で傾斜してストッパ−５のある所まで車両４を進める。【００１７】  図４に示すように、下段床３のストッパ−５のある所まで車両４が進めて停止する。【００１８】  下段床３のストッパ−５のある所まで車両４が進められた状態から、該下段床３が水平に元の姿勢に戻した状態が図５で、これらは螺子棒を使い空気式、油圧式、電気式のジャッキ、チェ−ン、ベルト、ギヤ−等を選択使用したものである。【００１９】  図６は下段床３に車両４が格納された後、上段床２に別の車両４を格納する際、該上段床２の端部から案内ガイド９に沿って前後にスライドする延設板８ａを自在に突出させた状態を示したものである。【００２０】  図７は案内ガイド９に沿って前後にスライドする延設板８ａの一例で直線状にスライドして地面に接した後、車両４を上段床２に載せる。【００２１】  図８は案内ガイド９に沿って前後にスライドする延設板８ｂが曲線状にスライドするもので、地面に接する状態により曲線を変えるだけで良い。【００２２】  図９は上段床２から案内ガイド９に沿って前後にスライドするように延設板８ｃを折り畳み式にしたもので、該延設板８ｃを延ばして地面に接する状態まで操作した後、車両４を載せる。【００２３】  図１０は上段床２のストッパ−５のある所まで車両４を進めて該車両４を載せた後、前後にスライドする延設板８ｃを折り畳んだ状態を示したもので、前後にスライドするときに必要な案内ガイド９は無くても良く、これらの該立地条件や回りの諸条件に併せて機械的に自動化又は手動化することができるものである。【００２４】  図１１は２階建ての家の横に本案の二段式駐車場ユニットを取り付けたもので、狭い土地での有効活用ができると共に、小さいスペ−スで高さも気にすることなく２階の窓からも充分に景色が見える。
【産業上の利用可能性】
【００２５】  建物に駐車場を設けるときに、地面に必要な深さの掘削をするだけで簡単に本案の二段式駐車場ユニット１を設けることができるだけでなく、該駐車場全体の高さを少しでも低くして景観性を持たした点がコスト安に繋がる。
【図面の簡単な説明】
【００２６】
【図１】  本案の二段式駐車場ユニットの全体斜視図。
【図２】  二段式駐車場の下段床に車両を搭載する前の側面図。
【図３】  下段床の角度を変えて車両を搭載する途中の状態の側面図。
【図４】  下段床のストッパ−（停止位置）で停止した状態の側面図。
【図５】  傾斜した下段床を元の水平に戻した状態の側面図。
【図６】  上段床から直線状の延設板を延ばした状態の側面図。
【図７】  直線状の延設板を地面に接地して車両を載せた状態の側面図。
【図８】  曲線状の延設板を地面に接地して車両を載せる状態の側面図。
【図９】  折り畳み式の延設板に車両を載せる前の状態を示す側面図。
【図１０】  延設板を折り畳んで車両を格納した状態の側面図。
【図１１】  ２階建ての家の横に本案の二段式駐車場ユニットを設置した状態を示す模式図。
【図１２】  一つ目の従来例を示す駐車場の説明図。
【図１３】  二つ目の従来例を示す駐車場の説明図。
【図１４】  三つ目の従来例を示す駐車場の説明図。
【図１５】  四つ目の従来例を示す駐車場の説明図。
【符号の説明】
【００２７】１    二段式駐車場ユニット本体      １０  車両用出入口
２    上段床                        １１  ２階建ての家
３    下段床                        １２  坂
４    車両                          １３  鉄筋建物
５    ストッパ−                    １４  窓
６    掘削部                        １５  門扉
７    昇降手段                      １６  地表面
８ａ  直線状の延設板                １７  昇降台
８ｂ  曲線状の延設板
８ｃ  折り畳み式延設板
９    案内ガイド
【図１】
2005307723.tif 000003
【図２】
2005307723.tif 000004
【図３】
2005307723.tif 000005
【図４】
2005307723.tif 000006
【図５】
2005307723.tif 000007
【図６】
2005307723.tif 000008
【図７】
2005307723.tif 000009
【図８】
2005307723.tif 000010
【図９】
2005307723.tif 000011
【図１０】
2005307723.tif 000012
【図１１】
2005307723.tif 000013
【図１２】
2005307723.tif 000014
【図１３】
2005307723.tif 000015
【図１４】
2005307723.tif 000016
【図１５】
2005307723.tif 000017